(57)【要約】      （修正有）【課題】携帯型電子通信機器ケースに着脱可能に装着でき、かつ、ケースから外した時に鏡として機能するケースのカバーを提供する。【解決手段】表面に画像表示面を備えた携帯型電子通信機器１０の裏面に装着される携帯型電子通信機器ケース２０に着脱可能に装着されるカバー３０であって、携帯型電子通信機器ケースは、携帯型電子通信機器の裏面側に装着されるケース本体２１と、ケース本体の外側表面に一体的に装着された自己吸着性シート２２とを具備し、カバーは、自己吸着性シートに着脱自在に装着可能な鏡面３１を有する。【選択図】図５
0003214834.tif 000002
【実用新案登録請求の範囲】
【請求項１】
表面に画像表示面を備えた携帯型電子通信機器の裏面に装着される携帯型電子通信機器ケースに着脱可能に装着されるカバーであって、
前記携帯型電子通信機器ケースは、携帯型電子通信機器の裏面側に装着されるケース本体と、該ケース本体の外側表面に一体的に装着された自己吸着性シートとを具備し、
前記ケースカバーは、前記自己吸着性シートに着脱自在に装着可能な鏡面を形成していることを特徴とする携帯型電子通信機器ケースのカバー。
【請求項２】
前記自己吸着性シートは、ケース本体に接する面と対向する外部露出面側に、弾性変形により吸着する開口径が２７μｍ〜４７μｍの吸着孔を複数個有し、これらの吸着孔が自己吸着性シートの外部露出面の９％〜２１％を占めていることを特徴とする請求項１記載の携帯型電子通信機器ケースのカバー。
【請求項３】
前記鏡面と対向する表面側に、前記携帯型電子通信機器ケースを装着した携帯型電子通信機器ケースカバーを掛け止める、掛け止め部を形成していることを特徴とする請求項１又は２に記載の携帯型電子通信機器ケースのカバー。
【請求項４】
前記鏡面と対向する表面側に、収納部を形成していることを特徴とする請求項１又は２に記載の携帯型電子通信機器ケースのカバー。
【請求項５】
ケースカバーは、携帯型電子通信機器表面の画像表示面を覆う前面のカバー部と、前記携帯型電子通信機器ケースを覆う後面のカバー部とを備えて、携帯型電子通信機器及びこの携帯型電子通信機器に装着された携帯型電子通信機器ケースの前後面を覆う構造を有し、前記前面のカバー部の内側に収納部を、前記後面のカバー部の内側に自己吸着シートに着脱自在に装着可能な鏡面を形成していることを特徴とする請求項１又は２に記載の携帯型電子通信機器ケースのカバー。
【考案の詳細な説明】
【技術分野】
【０００１】
本考案は、スマートフォンやタブレット等の携帯型電子通信機器ケースに係り、特に所定の設置面に対して安定して固定でき、かつ容易に離脱できる、携帯型電子通信機器ケースに装着されるケースカバーに関する。
【背景技術】
【０００２】
近年、スマートフォン等に内蔵されている写真機能を用いて、いわゆる“自撮り”をすることが広く行われている。しかし、従来のスマートフォンやタブレットでは、“自撮り”をするために自撮り棒を用いたり、或いは片方の手を自己の顔の前方に広げてスマートフォンを固定し、この状態でスマートフォンを操作したりするなど、手間がかかる。また、スマートフォンからの画像情報等を参考にして、各種動作、作業（例えば体操とか料理等）をする場合、スマートフォンを手で保持した状態で行わなければならず、それらの動作、作業をすることが困難である。
【０００３】
特許文献１には、段落0028〜0029に、安定保持シート1を取り付けた状態のスマートフォンＳを机Ｄの上面に設置する手順について記載されている。以下、その記載を引用する。
[0028]先ず、図４に示すように、スマートフォンＳの裏面Ｓ１をティッシュＴなどで拭いて清浄し、スマートフォンＳの裏面Ｓ１から埃や油分などを除去しておく。次いで、図５に示すように、安定保持シート１の裏面側剥離紙１６を剥がし、露呈したウレタン系粘着剤１１をスマートフォンＳの裏面Ｓ１に接着して安定保持シート１を取り付ける。
[0029]それから、図６に示すように、スマートフォンＳの裏面Ｓ１に裏面を取り付けた安定保持シート１の表面側剥離紙１５を剥がして取り外す。
このように、特許文献１の安定保持シート１を用いてスマートフォンＳを所定箇所に設置する場合、表面側剥離紙１５、裏面側剥離紙１６を貼り付けた安定保持シート１を使用し、これら剥離紙１５、１６を剥離してから使用しなければならない。
【０００４】
特許文献２には、アクリル系エマルジョンとエチレン酢酸ビニル共重合体樹脂エマルジョンから得られる特定の多孔質フォーム層を有するシートの製造方法とすることにより、表面処理ガラスや凹凸を有する壁紙等の被着体に対して十分な貼力を長期間維持でき、且つ、繰り返し使用が可能なシートを開示されている。
【０００５】
特許文献３には、エマルジョン及び起泡剤を含有する組成物をメカニカルフロス法にて発泡させた後に硬化することにより得られる自己粘着性多孔質フォーム層を有する繰り返し脱着使用が可能な感温変色材料を有するシートを開示している。
【０００６】
特許文献４には、基材層と粘着層が接して設けられてなる凹凸面用シートであって、前記基材層がメッシュ状の編物であって、前記編物のメッシュの大きさが0.1〜10mm２であり、前記凹凸面用シートの厚みが30〜500μｍであって、シートが凹凸面に追従することで、粘着層が薄くても凹凸のある窓ガラスや室内壁面のような凹凸面に貼着が可能であって、剥がす際には容易かつ綺麗に剥がすことができ、粘着剤が残ることなく、しかも室内から室外が視認可能であり、さらに装飾性に優れた凹凸面用シートが開示されている。
【先行技術文献】
【特許文献】
【０００７】
【特許文献１】実用新案登録第329164号公報
【特許文献２】特開2016-121323号公報
【特許文献３】特開2016-125060号公報
【特許文献４】特開2011-136418号公報
【考案の概要】
【考案が解決しようとする課題】
【０００８】
本考案は、弾性変形可能な極微細な多数の吸着孔を備えた上記の特許文献１乃至４とは異なる機構を備えた自己吸着性シートを携帯型電子通信機器ケース本体の背面に装着することにより、このケースに装着された携帯型電子通信機器を窓ガラスや鏡などの平面状部材に簡単に貼り付けることができ、また取り外すことができ、その結果、携帯型電子通信機器を利用した“自撮り”や各種動作、作業を容易に行える携帯型電子通信機器ケースの特性を有効に活用したケースカバーを提供するものである。具体的に説明すれば、携帯型電子通信機器ケースに着脱可能に装着でき、かつ、ケースから外した時に鏡として機能するケースカバーを提供するものである。
【課題を解決するための手段】
【０００９】
この課題を解決するために、本考案に係る携帯型電子通信機器ケースカバーは以下の構成要素を備えている。
（１）表面に画像表示面を備えた携帯型電子通信機器の裏面に装着される携帯型電子通信機器ケースに着脱可能に装着されるケースカバーであって、
（２）前記携帯型電子通信機器ケースは、携帯型電子通信機器の裏面側に装着されるケース本体と、該ケース本体の外側表面に一体的に装着された自己吸着性シートとを具備しており、
（３）前記ケースカバーは、前記自己吸着性シートに着脱自在に装着可能な鏡面を形成している。
（４）ここで、前記自己吸着性シートは、ケース本体に接する面と対向する外部露出面側に、弾性変形により吸着する開口径が２７μｍ〜４７μｍの吸着孔を複数個有し、これらの吸着孔が自己吸着性シートの外部露出面の９％〜２１％を占めているシートが好ましい。
（５）また、ケースカバーの一例として、前記鏡面と対向する表面側に、前記携帯型電子通信機器ケースを装着した携帯型電子通信機器ケースカバーを掛け止める、掛け止め部を形成しているケースカバーを挙げることができる。
（６）ケースカバーの他の例として、前記鏡面と対向する表面側に、収納部を形成しているケースカバーを挙げることができる。
（７）ケースカバーの更に異なる例として、携帯型電子通信機器表面の画像表示面を覆う前面のカバー部と、前記携帯型電子通信機器ケースを覆う後面のカバー部とを備えて、携帯型電子通信機器及びこの携帯型電子通信機器に装着された携帯型電子通信機器ケースの前後面を覆う構造を有し、前記前面のカバー部の内側に収納部を、前記後面のカバー部の内側に自己吸着シートに着脱自在に装着可能な鏡面を形成してケースカバーを挙げることができる。
【００１０】
本考案において、開口径が２７μｍ〜４７μｍの吸着孔を有する自己吸着シートは、吸着孔の開口径が極めて小さいため、マクロ的な外観が平面状であり、目視による外観が従前のカバーとなんら遜色がない平面状態を維持することができる。その結果、自己吸着性シートへのにじみの少ないクリアーな印刷を可能とするものである。一方、吸着孔がガラス面、鏡面などの平滑面を有する平板状部材に弾性的に押し当てられることにより弾性変形して、これら平板状部材に吸着する機能を有する。
【００１１】
このような吸着孔は、自己吸着性シートの外部露出面の９〜２１％を占めることにより、自己吸着シートを備えたケース及びこのケースに装着された携帯型電子通信機器を、鏡、ガラス等の平板状部材に対して貼り付けられた状態を保持することができ、特に、１７％〜２１％とすることにより、より確実に貼り付け状態を保持することができる。しかも、ケースは平板状部材の平滑面に対して弾性的に保持されているだけなので、ケースを平板上部材の平滑面から手で容易に引き離すことができる。
特に、自己吸着性シートに対する吸着孔の外部露出面を１７％〜２１％の数値が比較的高い範囲に設定したものは、より確実な貼り付け機能を保持することができる。また、自己吸着性シートに対する吸着孔の外部露出面を９％〜１４％としたものは、自己吸着性シートへのにじみのない、よりクリアーな印刷を可能とするものである。すなわち、吸着孔の面積率が高くなると、ミクロ的な凹凸面が多くなり、印刷用のインキがにじみやすいが、吸着孔の面積率が上記の範囲であることにより、にじみを極力抑えて、より良好な印刷を可能とする。
【００１２】
ここで、前記ケース本体と自己吸着性シートとは、接着剤を介して装着されているが、本考案は、これらのケース本体と自己吸着性シートと接着剤とを、いずれも透光性材料（透明材料）を用いることにより、かつ、携帯型電子通信機器に対して、携帯型電子通信機器ケースを着脱可能とすることができる。このことにより、携帯型電子通信機器の裏面と、この裏面側に装着されるケース本体との間に、任意の所望の印刷カードを介装した場合、自己吸着性シートがあるにもかかわらず、その印刷カードの印刷面を外部から視認することができる。
【考案の効果】
【００１３】
本考案のケースカバーによれば、携帯型電子通信機器を窓ガラスや鏡などの平滑面を有する平面状部材に簡単に貼り付け、取り外しができるという携帯型電子通信機器ケースの特性を利用して、裏面を鏡面として、ケースに着脱可能とし、ケースカバーから取り外したときに鏡として簡便に利用できることができる。
【図面の簡単な説明】
【００１４】
【図１】図１は、携帯型電子通信機器に装着される携帯型電子通信機器ケースの実施例を示す斜視図を示す。
【図２】図２は、携帯型電子通信機器を装着したケースをパソコン画面に縦及び横にして貼り付けた状態を示す図である。
【図３】図３は、表面に印刷を施していない本発明に係る自己吸着シートの顕微鏡写真の一例を示す。
【図４】図４は、表面に印刷を施した本発明に係る自己吸着シートの顕微鏡写真の他の例を示す。
【図５】図５は、ケース本体の自己吸着シートにカバーを装着した実施例であって、（a）は携帯型電子通信機器、ケース、カバーを分離して展開した状態の斜視図を示し、（b）は携帯型電子通信機器、ケース、カバーを一体化した状態の斜視図を示す。
【図６】図６は、図５のカバーであって、（a）は表面側の平面図、(b)は裏面側の平面図を示す。
【図７】図７は、ケース本体に装着する他のカバーの実施例を示し、（a）は携帯型電子通信機器、ケース、カバーを分離展開した状態の斜視図を示し、（b）は携帯型電子通信機器、ケース、カバーを一体化した状態の斜視図を示す。
【図８】図８は、図７のカバーであって、（a）は表面側の平面図、(b)は裏面側の平面図、(c)は指に装着した状態を示す。
【図９】図９は、ケース本体に装着するカバーのさらに異なる実施例において、携帯型電子通信機器、ケース、カバーを分離展開した状態の斜視図を示す。
【図１０】図１０は、図９のカバーにより携帯型電子通信機器、ケースを包んだ状態を示す。
【図１１】図１１は、図９のカバーを展開した図で、（a）は表面側の平面図、(b)は裏面側の平面図である。
【考案を実施するための形態】
【００１５】
以下本考案の実施例を、図面を参照して説明する。
【実施例】
【００１６】
図１は、携帯型電子通信機器に装着された携帯型電子通信機器ケースの実施例を示し、図２は、このケース（２０）の自己吸着性シート(２２)をパソコン画面Ｂに貼り付けた状態を示す。図１に示す様に、携帯型電子通信機器（１０）は、表面に画像表示面（１１）を有している。携帯型電子通信機器の裏面（１２）には、携帯型電子通信機器ケース（２０）が着脱可能に装着されている。このケース（２０）は、ケース本体(２１)と自己吸着性シート(２２)とを備えている。ケース本体(２１)は、携帯型電子通信機器（１０）のカメラ機能を保持するために、カメラ窓(２１a)を所定箇所に形成している。自己吸着性シート(２２)は、ケース本体(２１)の外部に露出する表面のうち、カメラ窓(２１a)を除く、ほぼ全表面に接着剤を介して装着されている。
なお、ケース本体側面には、携帯型電子通信機器（１）の機能を保持するために、いくつかの開口部を形成したり、送付な素材で形成したりしている。例えば、音量ボタン、電池ボタンに対応する箇所に対応する箇所をソフトな素材で形成して押し心地をよくしたり、イヤホーンジャックにも対応する開口部を形成したりしている。
自己吸着性シート(２２)は、弾性変形により他の平板状物体に吸着する複数個の吸着孔を、少なくともその表面側（外部に露出する側）に設けている。図１の符号Ａに吸着孔を模式的拡大して示す。
【００１７】
図３、図４に吸着孔を有する本考案に係る自己吸着性シートの顕微鏡写真で示す。これら顕微鏡写真で写された自己吸着シートは、吸着孔の開口径が２７μｍ〜４７μｍの範囲内にあり、面積比で自己吸着性シートの外部露出面の９％〜２１％の範囲内にある。具体的には図３の顕微鏡写真では、開口径が２７μｍ〜４７μｍの範囲の吸着孔が自己吸着性シートの外部露出面に対して約２０％占めており、図４の顕微鏡写真では、開口径が２７μｍ〜４７μｍの範囲の吸着孔が自己吸着性シートの外部露出面約１３％占めている。図４の自己吸着シートには印刷が施されている（画像の濃い所が印刷個所）。
ここで、本発明における開口径の数値は、吸着孔の(最大径＋最少径)/２で定義される。
また、吸着孔の面積比は、自己吸着性シートの外部露出面積に対する吸着孔の開口面積の総和の割合を基準として求められる。
【００１８】
吸着孔の開口径が２７μｍ未満であると吸着性能が劣り、好ましくない。開口径が４７μｍを超えると、マクロ的な外観（目視による外観）が凹凸状になり、また、鮮明な印刷が困難となる。このため、吸着孔の開口径の有効範囲を２７μｍ〜４７μｍとした。
このような自己吸着シートをケース本体に装着して、ケースを構成し、このケースを携帯型電子通信機器に装着して、平滑面に貼り付けたところ、容易に貼り付けられ、かつ、貼り付けた状態が安定して保持された。また、取り外し時にも極端に大きな力を加えることなく、容易に取り外すことができた。
【００１９】
自己吸着シートの材質は、上記の条件を満たす吸着孔を形成可能な材質であれば特に限定されるものではないが、例えば、当業者に知られているポリ塩化ビニル樹脂等が挙げられる（例えば、上述した特許文献１〜４の記載参照）。
上記の条件（所定の開口径を有する吸着孔が所定の面積比を占めるという条件）を満たす吸着孔を形成するための自己吸着シートの製法は、特に限定されるものではないが、例えば、当業者に知られている発泡成形法により製造可能である（例えば、上述した特許文献１〜４の記載参照）。
【００２０】
図５（a）、(b)に示す実施例は、ケース本体（２１）にカバー（３０）を装着した実施例である。このカバー（３０）は、ケース本体（２１）に装着された自己吸着シート（２２）の形状、寸法に沿う形状、寸法を有している。その表面には、図５（a）に示す様に、カード等の収納部（３２）が形成され、その裏面には、図５（b）に示す様に、ミラーの鏡面（３１）が形成されている。このカバー（３０）は、カバー裏面の鏡面（３１）を自己吸着シート（２２）に装着することができ、また、ケース本体（２１）から外すことにより、鏡として使用することができる。
なお、ここでは、先の説明との重複を避けるために、携帯型電子通信機器（１０）、ケース（２０）自体の説明は省略する（以下の実施例でもこの実施例と同様に省略）。
【００２１】
図７は、別の実施例のカバー（４０）を示す。このカバー（４０）は、図８(b)に示す様に、裏面に鏡面（４１）を設けて、ケース本体（２１）に装着された自己吸着シート（２２）に着脱可能に装着されている点で、図６の実施例と同様であるが、図８(a)に示す様に、その表面にリング状の取付部（４２）を設けている点で図６の実施例とは異なる。図８（c）に示す様に、この取付部（４２）により、携帯型電子通信機器（１０）及びそのケース（２０）を指やフックなどに掛け止めすることができる。
【００２２】
図９は、さらに異なる実施例のカバー（５０）を示す。このカバー（５０）は、折り曲げ可能に形成され、その内面の一方の面に鏡面（５１）を形成し、他方の面にカード等の収納部（５２）を形成している。また、鏡面体側の側面には、磁石を内蔵した帯状紐（５３）が突設されており、また、収納部側の側面には磁石に吸着する部材が内蔵されている。
このカバー（５０）をケース本体（２１）に装着された自己吸着性シート（２２）に装着し、収納部側面を折り畳み、帯状紐（５３）を、収納部側の外側面に磁力により吸着させることにより、携帯型電子通信機器（１０）及びそのケース（２０）を保護することができる（図１０参照）。
また、カバー（５０）を開くことにより、鏡として使用することができる（図１１(a)参照）。
【００２３】
ここで、ミラーの鏡面材質は、一般的に使用されるステンレス、ガラス、プラスチックなどであるが、これに限定されるものではない。鏡面を構成し得る任意の材質が適用できる。
【００２４】
また、前記自己吸着性シート（２２）はケース本体（２１）に接着剤を介して装着されているが、前記ケース本体（２１）と自己吸着性シート（２２）と接着剤とを、いずれも透光性材料で形成することができる。このことにより、前記携帯型電子通信機器（１０）の裏面と、この裏面側に装着されるケース本体（２１）との間に、所望の印刷カード（図示せず）を介装することにより、携帯型電子通信機器ケース（２０）を装着した状態で、その外観を使用者が所望する図柄等にすることができる。
【符号の説明】
【００２５】
１０…携帯型電子通信機器
１１…携帯型電子通信機器の表面(画像表示面)
１２…携帯型電子通信機器の裏面（ケース装着面）
２０…携帯型電子通信機器ケース
２１…ケース本体
２１a…カメラ窓
２２…自己吸着性シート
３０,４０，５０…カバー
３１、４１、５１…鏡面
３２、５２…収納部
４２…取付部
５３…帯状紐
【図１】
0003214834.tif 000003
【図２】
0003214834.tif 000004
【図３】
0003214834.tif 000005
【図４】
0003214834.tif 000006
【図５】
0003214834.tif 000007
【図６】
0003214834.tif 000008
【図７】
0003214834.tif 000009
【図８】
0003214834.tif 000010
【図９】
0003214834.tif 000011
【図１０】
0003214834.tif 000012
【図１１】
0003214834.tif 000013